(57)【要約】【課題】損傷なしに異なるインターフェース標準に従うホストデバイス及びＳＳＤデバイスを提供する。【解決手段】本発明によるホストデバイスは、第１コネクタ及び検出デバイスを含む。第１コネクタは、少なくとも１つの第１タイプのピン及び少なくとも１つの第２タイプのピンを含む。第１コネクタは、ＳＳＤ（ソリッドステートドライブ）デバイスの対応するコネクタに連結される。検出デバイスは、ＳＳＤデバイスの対応するコネクタが第１コネクタに連結される間に、少なくとも１つの第２タイプのピンが第２電力供給電圧に連結されたことが検出されると、少なくとも１つの第１タイプのピンが第１電力供給電圧に連結されるように制御し、ＳＳＤデバイスの対応するコネクタが第１コネクタに連結される間に、少なくとも１つの第２タイプのピンが第３電力供給電圧に連結されたことが検出されると、検出デバイスは、少なくとも１つの第１タイプのピンが非連結状態になるように制御する。【選択図】図７
2019139767.tif 000002
【特許請求の範囲】
【請求項１】
ホストデバイスであって、
少なくとも１つの第１タイプのピン及び少なくとも１つの第２タイプのピンを含み、ＳＳＤ（ソリッドステートドライブ）デバイスの対応するコネクタに連結される第１コネクタと、
前記第１コネクタの少なくとも１つの第１タイプのピンに結合された少なくとも１つの第１検出デバイスと、を備え、
前記少なくとも１つの第１検出デバイスは、
前記ＳＳＤデバイスの対応するコネクタが前記第１コネクタに連結される間に、前記少なくとも１つの第２タイプのピンが第２電力供給電圧に連結されたことが検出されると、前記少なくとも１つの第１タイプのピンが第１電力供給電圧に結合されるように制御し、
前記ＳＳＤデバイスの対応するコネクタが前記第１コネクタに連結される間に、前記少なくとも１つの第２タイプのピンが第３電力供給電圧に連結されたことが検出されると、前記少なくとも１つの第１タイプのピンが非連結状態になるように制御することを特徴とするホストデバイス。
【請求項２】
前記第１コネクタは、Ｍ．２フォームファクターを有することを特徴とする請求項１に記載のホストデバイス。
【請求項３】
前記第１コネクタの少なくとも１つの第１タイプのピンは、前記第１コネクタのピン３０、ピン３２、ピン３４、及びピン３６の中の少なくとも１つを含むことを特徴とする請求項２に記載のホストデバイス。
【請求項４】
前記第１コネクタの少なくとも１つの第２タイプのピンは、前記第１コネクタのピン２、ピン４、ピン７２、及びピン７４の中の少なくとも１つを含むことを特徴とする請求項２に記載のホストデバイス。
【請求項５】
前記第１電力供給電圧は１２Ｖであり、前記第２電力供給電圧は、グランド（接地電位）であり、前記第３電力供給電圧は３．３Ｖであることを特徴とする請求項２に記載のホストデバイス。
【請求項６】
前記ＳＳＤデバイスをさらに含み、
前記ＳＳＤデバイスは、
少なくとも１つの第１タイプのピン及び少なくとも１つの第２タイプのピンを含み、前記第１コネクタに連結される第２コネクタと、
前記第２コネクタの少なくとも一つの第１タイプのピン及び少なくとも１つの第２タイプのピンに結合された少なくとも１つの第２検出デバイスと、を含み、
前記少なくとも１つの第２検出デバイスは、
前記第２コネクタが前記第１コネクタに連結される間に、前記第２コネクタの少なくとも１つの第２タイプのピンが前記第２電力供給電圧に連結されたことが検出されると、前記第２コネクタの少なくとも１つの第１タイプのピンが前記第１電力供給電圧に結合されるように制御し、
前記第２コネクタが前記第１コネクタに連結される間に、前記第２コネクタの少なくとも１つの第２タイプのピンが前記第３電力供給電圧に連結されたことが検出されると、前記第２コネクタの少なくとも１つの第１タイプのピンが非連結状態になるように制御することを特徴とする請求項１に記載のホストデバイス。
【請求項７】
前記第２コネクタは、Ｍ．２フォームファクターを有することを特徴とする請求項６に記載のホストデバイス。
【請求項８】
前記第２コネクタの少なくとも１つの第１タイプのピンは、前記第２コネクタのピン３０、ピン３２、ピン３４、及びピン３６の中の少なくとも１つを含むことを特徴とする請求項７に記載のホストデバイス。
【請求項９】
前記第２コネクタの少なくとも１つの第２タイプのピンは、前記第２コネクタのピン２、ピン４、ピン７２、及びピン７４の中の少なくとも１つを含むことを特徴とする請求項７に記載のホストデバイス。
【請求項１０】
前記第１電力供給電圧は１２Ｖであり、前記第２電力供給電圧はグランド（接地電位）であり、前記第３電力供給電圧は３．３Ｖであることを特徴とする請求項７に記載のホストデバイス。
【請求項１１】
ＳＳＤ（ソリッドステートドライブ）デバイスであって、
少なくとも１つの第１タイプのピン及び少なくとも１つの第２タイプのピンを含み、ホストデバイスの対応するコネクタに連結される第１コネクタと、
前記第１コネクタの少なくとも１つの第１タイプのピン及び少なくとも１つの第２タイプのピンに結合された少なくとも１つの第１検出デバイスと、を備え、
前記少なくとも１つの第１検出デバイスは、
前記第１コネクタが前記ホストデバイスの対応するコネクタに連結される間に、前記第１コネクタの少なくとも１つの第２タイプのピンが第２電圧に連結されたことが検出されると、前記第１コネクタの少なくとも１つの第１タイプのピンが前記ホストデバイスによって提供される第１電圧に結合されるように制御し、
前記第１コネクタが前記ホストデバイスの対応するコネクタに連結される間に、前記第１コネクタの少なくとも１つの第２タイプのピンが第３電圧に連結されたことが検出されると、前記第１コネクタの少なくとも１つの第１タイプのピンが非連結状態になるように制御することを特徴とするＳＳＤデバイス。
【請求項１２】
前記第１コネクタは、Ｍ．２フォームファクターを有することを特徴とする請求項１１に記載のＳＳＤデバイス。
【請求項１３】
前記第１コネクタの少なくとも１つの第１タイプのピンは、前記第１コネクタのピン３０、ピン３２、ピン３４、及びピン３６の中の少なくとも１つを含むことを特徴とする請求項１２に記載のＳＳＤデバイス。
【請求項１４】
前記第１コネクタの少なくとも１つの第２タイプのピンは、前記第１コネクタのピン２、ピン４、ピン７２、及びピン７４の中の少なくとも１つを含むことを特徴とする請求項１２に記載のＳＳＤデバイス。
【請求項１５】
前記第１電圧は１２Ｖであり、前記第２電圧はグランド（接地電位）であり、前記第３電圧は３．３Ｖであることを特徴とする請求項１２に記載のＳＳＤデバイス。
【請求項１６】
前記ホストデバイスをさらに含み、
前記ホストデバイスは、
少なくとも１つの第１タイプのピン及び少なくとも１つの第２タイプのピンを含み、前記第１コネクタに連結される第２コネクタと、
前記第２コネクタの少なくとも１つの第１タイプのピンに結合された少なくとも１つの第２検出デバイスと、を含み、
前記少なくとも１つの第２検出デバイスは、
前記第２コネクタが前記第１コネクタに連結される間に、前記第２コネクタの少なくとも１つの第２タイプのピンが前記第２電圧に連結されたことが検出されると、前記第２コネクタの少なくとも１つの第１タイプのピンが前記第１電圧に結合されるように制御し、
前記第２コネクタが前記第１コネクタに連結される間に、前記第２コネクタの少なくとも１つの第２タイプのピンが前記第３電圧に連結されたことが検出されると、前記第２コネクタの少なくとも１つの第１タイプのピンが非連結状態になるように制御することを特徴とする請求項１１に記載のＳＳＤデバイス。
【請求項１７】
ＳＳＤ（ソリッドステートドライブ）デバイスであって、
少なくとも１つの第１タイプのピン及び少なくとも１つのストラップ信号タイプのピンを含み、ホストデバイスの対応するコネクタに連結される第１コネクタと、
前記第１コネクタの少なくとも１つの第１タイプのピン及び少なくとも１つのストラップ信号タイプのピンに結合された少なくとも１つの第１検出デバイスと、を備え、
前記少なくとも１つの第１検出デバイスは、
前記第１コネクタが前記ホストデバイスの対応するコネクタに連結される間に、前記第１コネクタの少なくとも１つのストラップ信号タイプのピンが第２電圧に連結されたことが検出されると、前記第１コネクタの第１タイプのピンのそれぞれが前記ホストデバイスによって提供される第１電圧に結合されるように制御し、
前記第１コネクタが前記ホストデバイスの対応するコネクタに連結される間に、前記第１コネクタの少なくとも１つのストラップ信号タイプのピンが第３電圧に連結されたことが検出されると、前記第１コネクタの第１タイプのピンのそれぞれが非連結状態になるように制御することを特徴とするＳＳＤデバイス。
【請求項１８】
前記第１コネクタは、Ｍ．２フォームファクターを有することを特徴とする請求項１７に記載のＳＳＤデバイス。
【請求項１９】
前記第１コネクタの少なくとも１つの第１タイプのピンは、前記第１コネクタのピン３０、ピン３２、ピン３４、及びピン３６の中の少なくとも１つを含み、
前記第１コネクタの少なくとも１つのストラップ信号タイプのピンは、前記第１コネクタのピン２、ピン４、ピン７２、及びピン７４の中の少なくとも１つを含み、
前記第１電圧は１２Ｖであり、前記第２電圧はグランド（接地電位）であり、前記第３電圧は３．３Ｖであることを特徴とする請求項１８に記載のＳＳＤデバイス。
【請求項２０】
前記ホストデバイスをさらに含み、
前記ホストデバイスは、
少なくとも１つの第１タイプのピン及び少なくとも１つのストラップ信号タイプのピンを含み、前記第１コネクタに連結される第２コネクタと、
前記第２コネクタの少なくとも１つの第１タイプのピンに結合された少なくとも１つの第２検出デバイスと、を含み、
前記少なくとも１つの第２検出デバイスは、
前記第２コネクタが前記第１コネクタに連結される間に、前記第２コネクタの少なくとも１つのストラップ信号タイプのピンが前記第２電圧に連結されたことが検出されると、前記第２コネクタの第１タイプのピンのそれぞれが前記第１電圧に結合されるように制御し、
前記第２コネクタが前記第１コネクタに連結される間に、前記第２コネクタの少なくとも１つのストラップ信号タイプのピンが前記第３電圧に連結されたことが検出されると、前記第２コネクタの第１タイプのピンのそれぞれが非連結状態になるように制御することを特徴とする請求項１９に記載のＳＳＤデバイス。
【発明の詳細な説明】
【技術分野】
【０００１】
本発明は、ＳＳＤ（ソリッドステートドライブ）のためのフォームファクターに関し、より詳しくは、異なるインターフェース標準に従うクライアントデバイス及びホストデバイスのためのフォームファクターに対応するデバイスに関する。
【背景技術】
【０００２】
ＳＳＤデバイスで使用されるＭ．２インターフェース標準のためのフォームファクターは、Ｍ．２フォームファクターに従う数億台のＳＳＤデバイスで使用され、毎年出荷量が数億に至る成功したフォームファクターである。
【先行技術文献】
【特許文献】
【０００３】
【特許文献１】米国特許第９０２１１５９号明細書
【特許文献２】米国特許第９６１９１６４号明細書
【特許文献３】米国特許出願公開第２００９／００２０６０８号明細書
【特許文献４】米国特許出願公開第２０１１／０１７０５７７号明細書
【特許文献５】米国特許出願公開第２０１４／００７０７９１号明細書
【特許文献６】米国特許出願公開第２０１４／０３７２６６６号明細書
【特許文献７】米国特許出願公開第２０１７／０１０９１７４号明細書
【特許文献８】米国特許出願公開第２０１７／０２６４０６０号明細書
【特許文献９】特開２０１６−０７６０００号公報
【非特許文献】
【０００４】
【非特許文献１】ＷＡＮＧ，  Ｄａｖｉｄ，  ”Ｎｅｘｔ  Ｇｅｎｅｒａｔｉｏｎ  Ｓｍａｌｌ  Ｆｏｒｍ  Ｆａｃｔｏｒ  （ＮＧＳＦＦ）  ＳＳＤ  Ｐｒｏｐｏｓａｌ”，  Ｆｌａｓｈ  Ｍｅｍｏｒｙ  Ｓｕｍｍｉｔ  ２０１７  Ｐｒｏｃｅｅｄｉｎｇｓ  （Ａｕｇ．  １０，  ２０１７），  Ｓａｎｔａ  Ｃｌａｒａ，  ＣＡ
【発明の概要】
【発明が解決しようとする課題】
【０００５】
本発明は、上記従来技術に鑑みてなされたものであって、本発明の目的は、損傷なしに、異なるインターフェース標準に従うホストデバイス及びＳＳＤデバイスを提供することにある。
【課題を解決するための手段】
【０００６】
上記目的を達成するためになされた本発明の一態様によるホストデバイスは、少なくとも１つの第１タイプのピン及び少なくとも１つの第２タイプのピンを含み、ＳＳＤ（ソリッドステートドライブ）デバイスの対応するコネクタに連結される第１コネクタと、前記第１コネクタの少なくとも１つの第１タイプのピンに結合された少なくとも１つの第１検出デバイスと、を備え、前記少なくとも１つの第１検出デバイスは、前記ＳＳＤデバイスの対応するコネクタが前記第１コネクタに連結される間に、前記少なくとも１つの第２タイプのピンが第２電力供給電圧に連結されたことが検出されると、前記少なくとも１つの第１タイプのピンが第１電力供給電圧に結合されるように制御し、前記ＳＳＤデバイスの対応するコネクタが前記第１コネクタに連結される間に、前記少なくとも１つの第２タイプのピンが第３電力供給電圧に連結されたことが検出されると、前記少なくとも１つの第１タイプのピンが非連結状態になるように制御することを特徴とする。
【０００７】
一実施形態で、前記第１コネクタはＭ．２フォームファクターを有し得る。
また、前記第１コネクタの少なくとも１つの第１タイプのピンは、前記第１コネクタのピン３０、ピン３２、ピン３４、及びピン３６の中の少なくとも１つであり得る。
前記第１コネクタの少なくとも１つの第２タイプのピンは、前記第１コネクタのピン２、ピン４、ピン７２、及びピン７４の中の少なくとも１つであり得る。
【０００８】
上記目的を達成するためになされた本発明の一態様によるＳＳＤ（ソリッドステートドライブ）デバイスは、少なくとも１つの第１タイプのピン及び少なくとも１つの第２タイプのピンを含み、ホストデバイスの対応するコネクタに連結される第１コネクタと、前記第１コネクタの少なくとも１つの第１タイプのピン及び少なくとも１つの第２タイプのピンに結合された少なくとも１つの第１検出デバイスと、を備え、前記少なくとも１つの第１検出デバイスは、前記第１コネクタ前記がホストデバイスの対応するコネクタに連結される間に、前記第１コネクタの少なくとも１つの第２タイプのピンが第２電圧に連結されたことが検出されると、前記第１コネクタの少なくとも１つの第１タイプのピンが前記ホストデバイスによって提供される第１電圧に結合されるように制御し、前記第１コネクタが前記ホストデバイスの対応するコネクタに連結される間に、前記第１コネクタの少なくとも１つの第２タイプのピンが第３電圧に連結されたことが検出されると、前記第１コネクタの少なくとも１つの第１タイプのピンが非連結状態になるように制御することを特徴とする。
【０００９】
一実施形態で、前記第１電圧は１２Ｖであり、前記第２電圧はグランド（接地電位）であり、第３電圧は３．３Ｖであり得る。
【００１０】
上記目的を達成するためになされた本発明の他の態様によるＳＳＤデバイスは、少なくとも１つの第１タイプのピン及び少なくとも１つのストラップ（ｓｔｒａｐ）信号タイプのピンを含み、ホストデバイスの対応するコネクタに連結される第１コネクタと、前記第１コネクタの少なくとも１つの第１タイプのピン及び少なくとも１つのストラップ信号タイプピンに結合された少なくとも１つの第１検出デバイスと、を備え、前記少なくとも１つの第１検出デバイスは、前記第１コネクタが前記ホストデバイスの対応するコネクタに連結される間に、前記第１コネクタの少なくとも１つのストラップ信号タイプのピンが第２電圧に連結さたことが検出されると、前記第１コネクタの第１タイプのピンのそれぞれが前記ホストデバイスによって提供される第１電圧に結合されるように制御し、前記第１コネクタが前記ホストデバイスの対応するコネクタに連結される間に、前記第１コネクタの少なくとも１つのストラップ信号タイプのピンが第３電圧に連結されたことが検出されると、前記第１コネクタの第１タイプのピンのそれぞれが非連結状態になるように制御することを特徴とする。
【００１１】
一実施形態で、前記第１コネクタは、Ｍ．２フォームファクターを有し得る。
前記第１コネクタの少なくとも１つの第１タイプのピンは、前記第１コネクタのピン３０、ピン３２、ピン３４、及びピン３６の中の少なくとも１つであり得る。
前記第１コネクタの少なくとも１つのストラップ信号タイプのピンは、前記第１コネクタのピン２、ピン４、ピン７２、及びピン７４の中の少なくとも１つであり得る。
前記第１電圧は１２Ｖであり、前記第２電圧はグランド（接地電位）であり、前記第３電圧は３．３Ｖであり得る。
【発明の効果】
【００１２】
本発明によれば、異なるインターフェース標準に従うホストデバイス及びＳＳＤデバイスを損傷なしに連結させることができる。
【図面の簡単な説明】
【００１３】
【図１】連結関係にあるＭ．２＋ホスト及びＭ．２＋ＳＳＤデバイスを示すブロック図である。
【図２】連結関係にあるＮＧＳＦＦ＋ホスト及びＭ．２＋ＳＳＤデバイスを示すブロック図である。
【図３】連結関係にあるＭ．２＋ホスト及びＮＧＳＦＦ＋ＳＳＤデバイスを示すブロック図である。
【図４】連結関係にあるＮＧＳＦＦ＋ホスト及びＮＧＳＦＦ＋ＳＳＤデバイスを示すブロック図である。
【図５】現在のＭ．２インターフェース標準に従うコネクタのピン配置を示す図である。
【図６】連結関係にあるＮＧＳＦＦ＋ホスト及びＭ．２  ＳＳＤデバイスを示すブロック図である。
【図７】本発明によるＮＧＳＦＦ＋ホストデバイスの一実施形態を示す概略的なブロック図である。
【図８】本発明によるＮＧＳＦＦ＋ＳＳＤデバイスの一実施形態を示す概略的なブロック図である。
【図９】本発明によるＳＳＤデバイスの実施形態に対応する、ホストデバイスの実施形態を示す概略的なブロック図である。
【発明を実施するための形態】
【００１４】
以下の詳細な説明において、本発明を実施するための形態の具体例が本発明の完全な理解を提供するために記載される。しかし、開示された態様が、このような具体例の説明なしに実施可能であることは当業者に理解される。他の例示において、よく知られている方法、手順、構成及び回路は、本発明を不明瞭にすることを避けるために詳細には説明しない。
【００１５】
詳細な説明で、「一つの実施形態」又は「一実施形態」との記載は、当該実施形態に関連して説明される特定の特徴、構造、又は特性が、本発明の少なくとも一つの実施形態に含まれることを意味する。したがって、詳細な説明の様々な部分で、「一つの実施形態で」、「一実施形態で」、又は「一つの実施形態によると」のようなフレーズ（又は類似の意味を有する他のフレーズ）は、同じ実施形態の全てについて記載するものではない。さらに、特定の特徴、構造、又は特性は、一つ以上の実施形態で、任意の適した方式で結合される。したがって、本明細書で使用される「例示的」の言葉は、「例、例示、又は実施例とすること」を意味する。「例示的」として本明細書で説明される任意の実施例は、他の実施形態について、必ず優先されたり有利に解釈されたりするものではない。なお、本明細書での説明のコンテクスト（ｃｏｎｔｅｘｔ）に依存して、単数の用語は、対応する複数の形式を含み、複数の用語は、対応する単数の形式を含む。本明細書で図示・記載される（構成図を含む）多様な図面は、単に説明目的のためのものであり、比率に合わせて描かれていない。同様に、多様な波形及びタイミング図は、単に説明目的のために示される。たとえば、構成要素の一部の次元は、明確化のために、他の要素とは相対的に誇張される。さらに、参照番号は、対応する構成要素及び／又は類似の構成要素を示すように図面において繰り返される。
【００１６】
本明細書で使用される用語は、単に特定の例示的な実施形態を説明する目的のためのものであり、本発明を限定するものではない。本明細書で使用される単数形式は、コンテクストで特に明示しない限り、複数形式を含む。「含む」及び／又は「含んでいる」という用語は、詳細な説明で使用する場合、記載された特徴、整数、ステップ、オペレーション、エレメント、及び／又は構成要素（ｃｏｍｐｏｎｅｎｔ）の存在を具体化するが、一つ以上の他の特徴、整数、ステップ、オペレーション、エレメント、構成要素、及び／又はそのグループの存在又は追加を排除するものではない。本明細書で使用される「第１」、「第２」などの用語は、それらが先行する名詞のための標識に使用され、特に定義しない限り、（例えば、空間的、時間的、論理的などの）順序に対するいかなるタイプも暗示しない。さらに、同じ参照番号は、同じ又は類似の機能を有する部分、構成、ブロック、回路、ユニット、又はモジュールについて記載するように、２つ以上の図面に亘って使用される。しかし、このような使用は、単に説明の単純化と便宜上のものであり、このような構成、ユニットの構成又は構成的な詳細説明がすべての実施形態に亘って同一であるか、或いはこのように通常的に記載される部分／モジュールが、本発明の特定の実施形態を具現する唯一の方式ではない。
【００１７】
特に定義しない限り、本明細書で使用する（技術的又は科学的な用語を含む）すべての用語は、本発明に属する当業者に通常的に理解されるものと同じ意味を有する。さらに共通に使用される、事前に定義された用語は、関連分野のコンテクスト上の意味と一致する意味を有し、本明細書で明らかに定義しない限り、理想化されるか、又は過度に形式的な意味で解釈されない。
【００１８】
本発明は、標準化されたインターフェースのコネクタのフォームファクターを利用するシステムを提供し、他のインターフェース標準に従い且つフォームファクターコネクタのメート（ｍａｔｅ）されたバージョンを使用するデバイスが、機能を提供し続ける間に、それぞれのデバイスを損傷することなく、互いに連結できるようにする。また、本発明は、他のインターフェース標準に従い且つフォームファクターコネクタのメート（ｍａｔｅ）されたバージョンを使用するデバイスが、高い信頼性で検出され、差別化（ｄｉｆｆｅｒｅｎｔｉａｔｅ）されて、未来の拡張機能を有するデバイスが重大な損傷を引き起こすことなく、互いに連結できるようにする。すなわち、本発明は、標準化されたインターフェースのフォームファクターを利用するデバイスを識別するための信頼性のある検出及び差別化能力を含むシステムを提供する。
【００１９】
本発明は、異なる機能を有する異なるクライアントタイプのデバイスが、ホストデバイスシステムのシステム管理実体（ｓｙｓｔｅｍ  ｍａｎａｇｅｍｅｎｔ  ｅｎｔｉｔｙ）の長所及び利益のために、異なるホストデバイスに連結される。つまり、複数のホストデバイスの同種のグループは、クライアントタイプのデバイスに連結され、このようなクライアントタイプのデバイスは、インターフェース標準のレベルで一致するクライアントタイプのデバイス及びホストを有するために、ホストデバイスの一部又は全体を交替するコストを発生させずに、異なるインターフェース標準に合わせられる。同様に、所与のインターフェース標準に従うクライアントタイプのデバイスの同種のグループは、異なるインターフェース標準に従うホストデバイスの異種グループに連結される。したがって、システム運用者及びデバイスのメーカーの両方が本発明において提供される特徴から利益を得ることができる。
【００２０】
一実施形態として、本発明は、Ｍ．２インターフェース標準に対応する機能／能力に適合しない可能性のある機能／能力を提供しながら、Ｍ．２フォームファクターを有する、ＳＳＤデバイスのようなクライアントタイプのデバイスを提供する。一実施形態で、ＮＧＳＦＦ（Ｎｅｘｔ  Ｇｅｎｅｒａｔｉｏｎ  Ｓｍａｌｌ  Ｆｏｒｍ  Ｆａｃｔｏｒ）ＳＳＤデバイスは、Ｍ．２フォームファクターに従うフォームファクターを含み、Ｍ．２インターフェース標準とは異なる拡張された能力／機能を提供できる。このようなＮＧＳＦＦクライアントデバイスは、ホストデバイス又はＭ．２ＳＳＤデバイスを損傷させずに、Ｍ．２インターフェース標準に従うホストデバイスに連結される。
【００２１】
一実施形態において、ＮＧＳＦＦ  ＳＳＤデバイスは、検出デバイスを含み、このような検出デバイスは、Ｍ．２ホストデバイスに連結されたことを高い信頼性で感知又は検出し、Ｍ．２ホストデバイス及びＮＧＳＦＦ  ＳＳＤデバイスの両方の損傷を防止する。Ｍ．２ホストデバイスは、ＮＧＳＦＦ  ＳＳＤデバイス又はＭ．２  ＳＳＤデバイスがＭ．２ホストデバイスに連結されるか否かに拘らず、Ｍ．２インターフェースの標準機能を提供し続ける。
【００２２】
なお、本発明は、ＮＧＳＦＦホストデバイスを提供し、このようなＮＧＳＦＦホストデバイスは、Ｍ．２フォームファクターに従い、ＮＧＳＦＦホストデバイス又はＭ．２  ＳＳＤデバイスを損傷することなく、Ｍ．２  ＳＳＤデバイスに連結される。一実施形態で、ＮＧＳＦＦホストデバイスは、検出デバイスを含み、このような検出デバイスは、Ｍ．２  ＳＳＤデバイスに連結されたことを高い信頼性で感知又は検出し、ＮＧＳＦＦホストデバイス及びＭ．２  ＳＳＤデバイスの両方の損傷を防止する。ＮＧＳＦＦホストデバイスは、Ｍ．２  ＳＳＤデバイス又はＮＧＳＦＦ  ＳＳＤデバイスがＮＧＳＦＦホストデバイスに連結されるか否に拘らずＮＧＳＦＦ機能を提供し続ける。Ｍ．２  ＳＳＤデバイスがＮＧＳＦＦホストデバイスに連結される場合、Ｍ．２  ＳＳＤデバイスは、ＮＧＳＦＦホストデバイスに連結されつつ、Ｍ．２機能に対応する機能を提供する。
【００２３】
本発明は、また、未来／拡張Ｍ．２機能を提供するＭ．２ホストデバイス（以下、Ｍ．２＋ホストと称する）のための連結の保護を提供し、ＮＧＳＦＦ  ＳＳＤデバイスがＭ．２＋ホストデバイスに連結される場合の保護を提供する。同様に、本発明は、未来／拡張ＮＧＳＦＦ機能を提供するＮＧＳＦＦ＋ホストデバイス（以下、ＮＧＳＦＦ＋ホストと称する）のための連結の保護を提供し、Ｍ．２  ＳＳＤデバイスがＮＧＳＦＦ＋ホストデバイスに連結される場合の保護を提供する。すなわち、本発明の検出デバイスは、ホストデバイス及びＳＳＤデバイスのそれぞれの機能を検出及び識別するための信頼性の高いシステムを提供する。
【００２４】
本明細書で使用される「Ｍ．２」の用語は、Ｍ．２  ＳＳＤインターフェース標準の現在のバージョンを示す。本明細書で使用される「Ｍ．２＋」の用語は、Ｍ．２  ＳＳＤインターフェース標準の現在のバージョンに対して拡張された機能を有するＭ．２  ＳＳＤインターフェース標準の未来のバージョンを指す。本明細書で使用される「ＮＧＳＦＦ」の用語は、ＮＧＳＦＦ  ＳＳＤインターフェース標準の現在のバージョンを指す。本明細書で使用される「ＮＧＳＦＦ＋」の用語は、ＮＧＳＦＦ  ＳＳＤインターフェース標準の現在のバージョンに対して拡張された機能を有するＮＧＳＦＦ  ＳＳＤインターフェース標準の未来のバージョンを指す。本明細書で使用される「Ｍ．２」及び「Ｍ．２＋」の用語は、相互に交換可能である。また、本明細書で使用される「ＮＧＳＦＦ」及び「ＮＧＳＦＦ＋」の用語は、相互に交換可能である。
【００２５】
従って、本発明は、Ｍ．２ホストデバイスが、Ｍ．２かＭ．２＋ホストデバイスかに拘らず、ＮＧＳＦＦ＋  ＳＳＤデバイスに連結され、且つホストデバイス及びＳＳＤデバイスのいずれも損傷を受けないことを提供する。同様に、本発明は、ＮＧＳＦＦホストデバイスが、ＮＧＳＦＦかＮＧＳＦＦ＋ホストデバイスかに拘らず、Ｍ．２又はＭ．２＋  ＳＳＤデバイスに連結され、且つホストデバイス及びＳＳＤデバイスのいずれも損傷を受けないことを提供する。
【００２６】
一実施形態において、Ｍ．２インターフェースのフォームファクターは、いずれのインターフェース標準に従うデバイスも損傷させずに、Ｍ．２インターフェース標準及び／又はＮＧＳＦＦ標準に関連する機能を提供するように構成される。従来のＭ．２デバイスは、ホスト／クライアントデバイスに拘らず、ＮＧＳＦＦクライアント／ホストデバイスに連結されている間、従来の機能を提供し続ける。未来の拡張機能を有するＭ．２＋デバイスは、Ｍ．２＋デバイスの拡張された機能がＮＧＳＦＦデバイスを介して利用できないことがあるが、損傷なしにＮＧＳＦＦデバイスに連結される。同様に、未来の拡張機能を有するＮＧＳＦＦ＋デバイスは、ＮＧＳＦＦ＋デバイスの拡張された機能がＭ．２デバイスを介して利用できないことがあるが、損傷なしにＭ．２デバイスに連結される。
【００２７】
本発明は、Ｍ．２インターフェース標準のためのフォームファクターによって提供される長所及び利益を活用する。すなわち、本発明は、より低いコストと市場への早い投入の側面から、Ｍ．２インターフェース標準により提供される、ＳＳＤのためのＭ．２インターフェース標準のフォームフファクターによって樹立される、豊かなエコシステム（ｅｃｏｓｙｓｔｅｍ）を活用している。Ｍ．２エコシステムを活用するように、本発明のＮＧＳＦＦフォームファクターは、Ｍ．２コネクタと同じフォームファクター及び同じソケットインターフェースを利用する。Ｍ．２インターフェース標準と対照的に、ＮＧＳＦＦ  ＳＳＤコネクタについての信号の割り当ては、新しい高電圧の１２Ｖ電源レールを含み、これはＭ．２インターフェース上の、予め予備（ｒｅｓｅｒｖｅｄ）ピンに追加される。したがって、ＮＳＧＳＦＦ  ＳＳＤインターフェースに対応する信号の割り当ては、Ｍ．２  ＳＳＤ信号の割り当てとの衝突を回避するように選択され、これにより、Ｍ．２及びＮＧＳＦＦ  ＳＳＤデバイスの両方が同じソケットインターフェースを共有することができる。
【００２８】
ＮＧＳＦＦ  ＳＳＤインターフェース標準及びＭ．２  ＳＳＤインターフェース標準に関する問題は、２つのインターフェース標準が２つの異なる標準設定団体によって管理されることにある。特に、ＮＧＳＦＦ  ＳＳＤインターフェース標準は、ＪＥＤＥＣ（Ｊｏｉｎｔ  Ｅｌｅｃｔｒｏｎ  Ｄｅｖｉｃｅ  Ｅｎｇｉｎｅｅｒｉｎｇ  Ｃｏｕｎｃｉｌ）によって標準化されるのに対し、Ｍ．２  ＳＳＤインターフェース標準は、ＰＣＩ  ＳＩＧ（Ｐｅｒｉｐｈｅｒａｌ  Ｃｏｍｐｏｎｅｎｔ  Ｉｎｔｅｒｃｏｎｎｅｃｔ  Ｓｐｅｃｉａｌ  Ｉｎｔｅｒｅｓｔ  Ｇｒｏｕｐ）によって標準化される。したがって、ＮＧＳＦＦ  ＳＳＤ信号の割り当ては、既存のＭ．２  ＳＳＤ信号の割り当てとの衝突を回避するように選択される。それにもかかわらず、ＰＣＩ  ＳＩＧは、Ｍ．２  ＳＳＤインターフェース上の所定の予備ピンに割り当てられた新しい信号とともに、未来のＭ．２  ＳＳＤインターフェース標準の機能と能力の可能な拡張を収容する。したがって、高電圧の１２Ｖ電源レールをＭ．２  ＳＳＤインターフェースのＭ．２予備ピンに割り当てるＮＧＳＦＦ  ＳＳＤ信号の割り当ては、未来のＭ．２インターフェース拡張に対する衝突を引き起こす。
【００２９】
Ｍ．２  ＳＳＤ信号の割り当ては、ＰＣＩ  ＳＩＧによって制御され、ＰＣＩ  ＳＩＧがＭ．２ソケットインターフェース上のすべての予備信号を新しい特徴や機能に再配置（ｒｅ−ｍａｐ）できることを考慮すると、本発明は、異なる信号と供給電圧を有するＮＧＳＦＦと未来のＭ．２  ＳＳＤとが互いに衝突しないように、Ｍ．２  ＳＳＤデバイスからＮＧＳＦＦ  ＳＳＤデバイスを高い信頼性で検出及び差別化するシステムを提供する。
【００３０】
下記の表１は、現在及び未来のＭ．２ホストデバイスと、現在と未来のＭ．２  ＳＳＤデバイス及び現在のＮＧＳＦＦ  ＳＳＤデバイスとの間に発生する潜在的な衝突を示す。また、表１は、現在のＮＧＳＦＦホストデバイスと、現在及び未来のＭ．２  ＳＳＤデバイス並びに現在のＮＧＳＦＦ  ＳＳＤデバイスとの間に発生する潜在的な衝突を示す。
【００３１】
【表１】
2019139767.tif 000003
【００３２】
表１の第１行を参照すると、現在のＭ．２  ＳＳＤデバイスが、現在のＭ．２ホストデバイス（以下、Ｍ．２ホストと略記）に連結される場合、Ｍ．２  ＳＳＤデバイス及びＭ．２ホストの両方が正しく動作する。Ｍ．２＋  ＳＳＤデバイスが、現在のＭ．２ホストに連結される場合、両方のデバイスは動作するが、Ｍ．２＋  ＳＳＤデバイスに関連した任意の新しい特徴は、現在のＭ．２ホストを介して利用できない。現在のＮＧＳＦＦ  ＳＳＤデバイスが、現在のＭ．２ホストに連結される場合、ＮＧＳＦＦ  ＳＳＤデバイスがターンオンされないので、ＮＧＳＦＦ  ＳＳＤデバイスは動作しない。
【００３３】
表１の第２行を参照すると、現在のＭ．２  ＳＳＤデバイスがＭ．２＋ホストデバイス（以下、Ｍ．２＋ホストと略記）に連結されると、Ｍ．２  ＳＳＤデバイスは、動作するが、Ｍ．２＋ホストに関連した任意の新しい特徴は、現在のＭ．２  ＳＳＤデバイスを介して利用できない。Ｍ．２＋  ＳＳＤデバイスがＭ．２＋ホストに連結されると、Ｍ．２＋  ＳＳＤデバイスが、動作して、Ｍ．２＋ホスト及びＳＳＤデバイスに関連した任意の新しい特徴が利用可能である。現在のＮＧＳＦＦ  ＳＳＤデバイスがＭ．２＋ホストに連結される場合、ＮＧＳＦＦ  ＳＳＤデバイスは動作せず、Ｍ．２＋ホスト及び／又はＮＧＳＦＦ  ＳＳＤデバイスは、損傷を受ける。
【００３４】
表１の第３行を参照すると、現在のＭ．２  ＳＳＤデバイスが、現在のＮＧＳＦＦホストデバイス（以下、ＮＧＳＦＦホストと略記）に連結される場合、Ｍ．２  ＳＳＤデバイスがターンオンされないので、Ｍ．２  ＳＳＤデバイスは、動作しない。Ｍ．２＋  ＳＳＤデバイスがＮＧＳＦＦホストに連結される場合、Ｍ．２＋  ＳＳＤデバイスは動作せず、ＮＧＳＦＦホスト及び／又はＭ．２＋  ＳＳＤデバイスは、損傷される。現在のＮＧＳＦＦ  ＳＳＤデバイスが、現在のＮＧＳＦＦホストに連結される場合、ＮＧＳＦＦ  ＳＳＤデバイスは動作する。
【００３５】
本発明で扱う表１で識別される衝突状況は、（１）ＮＧＳＦＦ  ＳＳＤデバイスが意図的又は意図せずにＭ．２又はＭ．２＋ホストに連結される状況、及び（２）Ｍ．２又はＭ．２＋  ＳＳＤデバイスが意図的又は意図せずにＮＧＳＦＦホストに連結される状況である。表１の衝突状況をさらに説明するために含まれる２つの付加的な衝突状況は（３）ＮＧＳＦＦ＋  ＳＳＤデバイスが意図的又は意図せずにＭ．２又はＭ．２＋ホストに連結される状況、及び（４）Ｍ．２又はＭ．２＋  ＳＳＤデバイスが意図的又は意図せずにＮＧＳＦＦ＋ホストに連結される状況である。
【００３６】
衝突状況を扱う本発明によって、ＳＳＤデバイスのメーカーは、新しいＳＳＤインターフェース標準を選択するＳＳＤデバイスのメーカーよりも、相対的に市場へのより早い投入時期を有する、慣れているＳＳＤデバイスの設計を提供することにより、利益が得られる。また、ＯＥＭ（ｏｒｉｇｉｎａｌ  ｅｑｕｉｐｍｅｎｔ  ｍａｎｕｆａｃｔｕｒｅｒ）は、より低コストの構造を有することで利益を得ることができ、より多くのＳＳＤデバイスの供給者がより広い範囲の利用可能なＳＳＤの容量オプション及びより広い範囲の利用可能な構成オプションが利用できる。コネクタメーカーは、市場へのより早い投入時期を可能にするベースライン設計に慣れていることに基づいて利益を得る。最後に、産業は、利用可能な低コスト・高容量の基盤及び最小の変化リスクを有する、豊かで堅牢なエコシステムへの迅速な立上げによる利益を得ることができる。
【００３７】
表１で示した衝突の問題は、本発明により、Ｍ．２／Ｍ．２＋インターフェース標準及びＮＧＳＦＦ／ＮＧＳＦＦ＋インターフェース標準に従うホストデバイス及び／又はＳＳＤデバイスでの任意の衝突を緩和するホストデバイス及びＳＳＤデバイスの信頼性のある検出及び差別化を提供することで対処される。この点で、現在のＭ．２のホストデバイス及びＭ．２  ＳＳＤデバイスとの下位互換性を、Ｍ．２＋ホストデバイス及びＭ．２＋  ＳＳＤデバイスが有するため、Ｍ．２インターフェースを介したグランド及びＶＤＤ連結は変わらないことが注目される。したがって、信頼性のある検出技術は、グランド（接地）及び／又はＶＤＤ（電源）の連結がＭ．２インターフェース標準に対応しているか否かを検出又は感知する。
【００３８】
図１は、連結関係にあるＭ．２＋ホスト及びＭ．２＋ＳＳＤデバイスを示すブロック図である。Ｍ．２＋ホスト１００及びＭ．２＋ＳＤＤデバイス１０１は、いずれもＭ．２＋デバイスなので、新しい信号ピンが割り当てられるため、１つの代表的な新しい信号の割り当て（Ｎｅｗ  Ｓｉｇｎａｌ  Ａｓｓｉｇｎｍｅｎｔ）だけが図１に明示される。Ｍ．２（及びＭ．２＋）インターフェース標準のピン７１は、グランド電圧レール（ｇｒｏｕｎｄ  ｖｏｌｔａｇｅ  ｒａｉｌ）又はストラップ（ｓｔｒａｐ）に割り当てられ、これはＭ．２インターフェース標準の他のバージョンでも変わらないことが注目される。したがって、ピン７１は、グランド電圧レール又はストラップであることが高い信頼性で検出され、これによりグランド（ＧＮＤ）に連結されたピン７１を有するデバイスが、Ｍ．２又はＭ．２＋インターフェース標準に従うことが明示される。
【００３９】
図２は、連結関係にあるＮＧＳＦＦ＋ホスト及びＭ．２＋ＳＳＤデバイスを示すブロック図である。ＮＧＳＦＦ＋ホスト２００は、検出回路を含み、検出回路は、ＮＧＳＦＦ＋ホスト２００に連結されたＳＳＤデバイスが、Ｍ．２インターフェース標準を満たしているか否かを高い信頼性で検出する。このために、ＮＧＳＦＦ＋ホスト２００は、プルアップ抵抗２０１を含み、プルアップ抵抗２０１は、＋３．３Ｖと、ピン７１及び電圧供給ゲーティングデバイス２０２との間に連結される。また、ＮＧＳＦＦ＋ホスト２００は、ピン７１からプルアップ抵抗２０１の一方の端子及び電圧供給ゲーティングデバイス２０２の制御端子への電気的連結を含む。ＮＧＳＦＦ＋ホスト２００は、例えば、Ｍ．２インターフェース標準下で予備として指定されたピンに、＋１２Ｖ電力供給レール又はストラップを出力するように構成される。Ｍ．２又はＭ．２＋ＳＳＤデバイス１０１がＮＧＳＦＦ＋ホスト２００に連結される場合、Ｍ．２＋ＳＳＤデバイスのグランドストラップ連結はピン７１をグランドに導き、これにより＋１２Ｖ電力供給レールと新しい信号の割り当てピンとの間の連結を開放するように電圧供給ゲーティングデバイス２０２を制御する。したがって、ＮＧＳＦＦ＋ホスト２００は、このＭ．２  ＳＳＤデバイス１０１がＭ．２＋ＳＳＤデバイスであることを高い信頼性で検出することができる。さらに、電圧供給ゲーティングデバイス２０２は、＋１２Ｖ電力供給レールによる損傷からＭ．２＋ＳＳＤデバイス１０１を保護する。また、プルアップ抵抗２０１及び電圧供給ゲーティングデバイス２０２によって提供される検出機能は、他の電力供給電圧ストラップ（図示せず）及び／又は信号（図示せず）をゲーティングするのに使用され、これによりＮＧＳＦＦ＋ホスト２００に連結されるＭ．２＋ＳＳＤデバイス１０１が保護される。Ｍ．２＋インターフェース標準に関連する未来の機能は、Ｍ．２＋ＳＳＤデバイス１０１がＮＧＳＦＦ＋ホスト２００に連結される場合、利用できない。
【００４０】
図３は、連結関係にあるＭ．２＋ホスト及びＮＧＳＦＦ＋ＳＳＤデバイスを示すブロック図である。ＮＧＳＦＦ＋ＳＳＤデバイス３００は、検出回路を含み、検出回路は、ホストがＭ．２インターフェース標準を満たしているか否かを高い信頼性で検出する。ＮＧＳＦＦ＋ＳＳＤデバイス３００は、プルアップ抵抗３０１を含み、プルアップ抵抗３０１は、＋３．３Ｖと、ピン７１及び第１スイッチ３０２の入力との間に連結される。第１スイッチ３０２の出力は、インバータ３０３及び第２スイッチ３０４を介してＮＧＳＦＦ＋ＳＳＤデバイス３００のＰＷＤＩＳピンに電気的に連結される。一実施形態で、第１スイッチ３０２は、デフォルト閉鎖（ｄｅｆａｕｌｔ−ｃｌｏｓｅｄ）スイッチであり、第２スイッチ３０４は、デフォルト開放（ｄｅｆａｕｌｔ−ｏｐｅｎ）スイッチである。ＮＧＳＦＦ＋ＳＳＤデバイス３００がＭ．２＋ホスト１００に連結される場合、ピン７１は、Ｍ．２＋ホスト１００からグランド（ＧＮＤ）に連結される。また、ＮＧＳＦＦ＋ＳＳＤデバイス３００は、ＰＷＤＩＳ信号を使用し、これはＭ．２＋ホスト１００から＋３．３Ｖの出力を制御するようにＮＧＳＦＦ＋インターフェース標準のための新しい信号に追加されるのに必要であり、これによりストレイ電流（ｓｔｒａｙ  ｃｕｒｒｅｎｔ）がＮＧＳＦＦ＋ＳＳＤデバイス３００で駆動されることが防止され、Ｍ．２＋ホスト１００が保護される。追加の考慮が必要となる図３に示す連結関係に関する他の態様は、＋１２Ｖ電力供給レールがＭ．２＋ホスト１００から利用可能であるか、＋３．３Ｖが＋１２Ｖ電力供給レールにおいてＭ．２＋ホスト１００から供給されるのか、及び／又はＰＷＤＩＳ信号とＳＭＢｕｓとの間の順序関係が組織化される必要があるのかに対するものである。
【００４１】
図４は、連結関係にあるＮＧＳＦＦ＋ホスト及びＮＧＳＦＦ＋ＳＳＤデバイスを示すブロック図である。ＮＧＳＦＦ＋ホスト２００及びＮＧＳＦＦ＋ＳＳＤデバイス３００の両方の検出機能は、他のデバイスがＭ．２デバイスでないことを検出又は感知することが注目される。
【００４２】
ＮＧＳＦＦデバイスは、ホットプラッギングオペレーション（ｈｏｔ−ｐｌｕｇｇｉｎｇ  ｏｐｅｒａｔｉｏｎ）をサポートするが、Ｍ．２デバイスはサポートしない。したがって、ホットプラッギングオペレーションをサポートするＭ．２＋デバイスに関する検討が必要であり、これは検出及び緩和機能が＋１２Ｖの印加を遅らせるからである。つまり、＋３．３Ｖが、提供されている＋１２Ｖに先立って提供される必要がある。したがって、Ｍ．２デバイス及びＮＧＳＦＦデバイスの両方を含むホットプラッギングオペレーションは、ホスト及び／又はＳＳＤデバイスに損傷を引き起こす可能性がある。それにもかかわらず、ＮＧＳＦＦデバイスはホットプラッギングオペレーションをサポートするので、＋１２Ｖ電力供給レールは正常に動作する。
【００４３】
図５は、現在のＭ．２インターフェース標準に従うコネクタのピン配置を示す図である。ピン１、３、７１、７３、及び７５はグランド（ＧＮＤ）ピンに割り当てられ、ピン２、４、７２、及び７４は３．３Ｖピンに割り当てられ、ピン２０、２２、…、３６はＮＣ（ｎｏ  ｃｏｎｎｅｃｔｉｏｎ）ピンに割り当てられることを示す。したがって、ホスト又はＳＳＤデバイスがＭ．２デバイスであるか否かの信頼性のある検出は、ピン１、３、７１、７３、７５、２、４、７２、及び７４を利用する。ピン２０、２２、…、３６はＮＧＳＦＦデバイスのために＋１２Ｖで利用される。
【００４４】
図６は、連結関係にあるＮＧＳＦＦ＋ホスト及びＭ．２  ＳＳＤデバイスを示すブロック図である。図６に示すように、ＮＧＳＦＦ＋ホスト６００は、コネクタ６０１を含み、Ｍ．２  ＳＳＤデバイス６０２は、コネクタ６０３を含む。コネクタ６０１の既存のＮＧＳＦＦ信号のピン出力は、ＮＧＳＦＦインターフェース標準が現在のＭ．２  ＳＳＤ信号のマッピングと衝突しないように、割り当てられる。ピン２、４、７２、及び７４は、ＮＧＳＦＦホスト及びＮＧＳＦＦ  ＳＳＤデバイスのためのＮＧＳＦＦインターフェースによってＮＣに割り当てられる。ピン３０、３２、３４、及び３６は、ＮＧＳＦＦホスト及びＮＧＳＦＦ  ＳＳＤデバイスのための１２Ｖ  ＶＤＤに割り当てられる。ＮＧＳＦＦピンの割り当てと対照的に、ピン３０、３２、３４、及び３６は、Ｍ．２ホスト及びＭ．２  ＳＳＤデバイスのためのＭ．２インターフェース標準による予備の信号（すなわち、図５のＮＣ）である。したがって、図６に示すように、Ｍ．２＋拡張信号がＭ．２＋ＳＳＤのためのピン３０、３２、３４、及び３６にさらに割り当てられ、Ｍ．２＋ＳＳＤがＮＧＳＦＦ＋ホストに挿入される場合、１２ＶがＭ．２  ＳＳＤデバイスの信号ピンに印加され、ＮＧＳＦＦ＋ホスト及びＭ．２  ＳＳＤデバイスの両方を損傷させる。
【００４５】
したがって、本発明は、信号又は電力供給レールの選択に関するものであり、信号又は電力供給レールは、予備信号の割り当てをそれぞれ管理する標準機構からの協力が不在の下で、（ＮＧＳＦＦインターフェース標準及びＭ．２インターフェース標準のような）異なる２セットの信号割り当て間の差異を高い信頼性で識別するように検出される。本発明によると、ＮＧＳＦＦインターフェース標準とＭ．２インターフェース標準との間を高い信頼性で差別化するのに使用可能な信号がＭ．２予備ピンのプール（ｐｏｏｌ）から選択されない。代わりに、本発明は、ＮＧＳＦＦインターフェース標準が３．３Ｖ  ＶＤＤよりも１２Ｖ  ＶＤＤを利用するという事実を利用して、３．３Ｖ  ＶＤＤ信号はＰＣＩ  ＳＩＧが、また既存と未来のＭ．２デバイス間の互換性を維持しなければならないという理解とともに、ＳＳＤのためのＮＧＳＦＦインターフェース標準からＮＣに再び割り当てられ、ＶＤＤ又はＧＮＤピンを再び割り当てない。したがって、Ｍ．２の割り当てられた３．３Ｖ  ＶＤＤ及びＧＮＤピンは、暗示的ストラップの信号を提供し、暗示的ストラップの信号は、ＮＧＳＦＦデバイスとＭ．２デバイスとの間の差別化のための信頼性のある検出信号で使用される候補群として選択される。さらに、不要なストラップ信号がコネクタの反対側の端から選択される場合、検出システムは、フェイルセーフ（ｆａｉｌ−ｓａｆｅ）が備えられた検出技術でさらに信頼性の高い技術になる。
【００４６】
図７は、本発明によるＮＧＳＦＦ＋ホストデバイスの一実施形態を示す概略的なブロック図である。ＮＧＳＦＦ＋ホストデバイス７００は、コネクタ７０１及び検出デバイス７０２を含む。コネクタ７０１は、公開された仕様書（ｓｐｅｃｉｆｉｃａｔｉｏｎ  ｓｈｅｅｔ）又はインターフェース標準に従うフォームファクターを有する。一実施形態で、コネクタ７０１は、Ｍ．２インターフェース標準のフォームファクターに従う。検出デバイス７０２は、例えば、コネクタ７０１に連結されるＭ．２＋ＳＳＤデバイス７０３との電気的／機能的な互換性を感知・検出し、検出に基づいて、ＮＧＳＦＦ＋ホストデバイス７００によって提供される信号／機能をイネーブル（ｅｎａｂｌｅ）又はディセーブル（ｄｉｓａｂｌｅ）する。重要なこととして、検出デバイス７０２は、Ｍ．２＋ＳＳＤデバイス７０３へ一つ以上の電力供給のレール電圧の印加を制御又はゲーティングして、ＮＧＳＦＦ＋ホストデバイス７００及び／又はＭ．２＋ＳＳＤデバイス７０３の損傷を防止する。
【００４７】
一実施形態において、コネクタ７０１は、例えば、Ｍ．２インターフェース標準に従うフォームファクターを有する。他の実施形態で、ＮＧＳＦＦ＋ホストデバイス７００は、ＮＧＳＦＦ＋デバイスとは異なり、コネクタ７０１は、Ｍ．２インターフェース標準とは異なるインターフェース標準に従うフォームファクターを有する。
【００４８】
Ｍ．２＋ＳＳＤデバイス７０３は、公開された仕様書又はインターフェース標準に従うフォームファクターを有するコネクタ７０４を含む。一実施形態で、コネクタ７０４は、Ｍ．２インターフェース標準のフォームファクターに従う。たとえば、Ｍ．２＋ＳＳＤデバイス７０３のコネクタ７０４がＭ．２インターフェース標準の現在のバージョンに従う場合、コネクタ７０４のピン２、４、７２、及び７４は＋３．３Ｖに指定され、ピン３０、３２、３４、及び３６は、予備（つまり、ＮＣ）ピンに指定される。上述のように、Ｍ．２コネクタの予備ピン３０、３２、３４、及び３６は、未来の機能及び／又は信号の割り当てに使用される。コネクタ７０４がＭ．２インターフェース標準の未来のバージョンに従う場合、ピン３０、３２、３４、及び３６は、未来の機能及び／又は信号の割り当てを提供するように信号及び／又は電圧を伝達する。検出デバイス７０２は、コネクタ７０４がＭ．２インターフェース標準を満たしているか否かを検出し、正しくない信号及び／又は電圧がピン３０、３２、３４、及び３６に連結されることを防止し、これによりＭ．２＋ＳＳＤデバイス７０３及び／又はＮＧＳＦＦ＋ホストデバイス７００が損傷することを防止する。
【００４９】
検出デバイス７０２は、スイッチデバイス７０５及び抵抗デバイス７０６を含み、これらはコネクタ７０１に連結されるＭ．２＋ＳＳＤデバイス７０３がＭ．２デバイスであるか否かを感知又は検出する。スイッチデバイス７０５の制御端子７０７は、コネクタ７０１のピン４及び７２のいずれか一つ又は両方に電気的に連結される。スイッチデバイス７０５の第２端子７０８は、例えば、＋１２Ｖ電力供給レールに電気的に結合され、スイッチデバイス７０５の第３端子７０９は、ピン３０、３２、３４、及び３６に電気的に連結される。また、制御端子７０７は、抵抗デバイス７０６の一端子に電気的に結合される。抵抗デバイス７０６の他の端子はグランドに電気的に結合される。
【００５０】
ＮＧＳＦＦ＋ホストデバイス７００のピン２及び７４は、＋３．３Ｖ電源に電気的に連結される。Ｍ．２＋ＳＳＤデバイス７０３のコネクタ７０４がＭ．２インターフェース標準の電気的な構成に従う場合は、コネクタ７０４のピン２、４、７２、及び７４はＭ．２＋ＳＳＤデバイス７０３内で相互に（つまり、短絡されて）連結される。コネクタ７０４がコネクタ７０１に挿入される場合、コネクタ７０１のピン２及び７４に供給される＋３．３Ｖ電源は、Ｍ．２＋ＳＳＤデバイス７０３のコネクタ７０４を介してコネクタ７０１のピン４及び７２に印加される。＋３．３Ｖ電源がスイッチデバイス７０５の制御端子７０７に（コネクタ７０１のピン４及び７２を経由して）印加されると、スイッチデバイス７０５は、第２端子７０８に印加される＋１２Ｖ電力供給レールをスイッチデバイス７０５の第３端子７０９に導電させない。これにより＋１２Ｖ電力供給の電圧レールからコネクタ７０４のピン３０、３２、３４、及び３６が絶縁される。
【００５１】
Ｍ．２＋ＳＳＤデバイス７０３の任意の従来の機能は、コネクタ（７０１及び７０４）の残りのピン及びこのようなピンに関連する従来の機能が、まだ電気的／機能的に相互に互換可能であるので、ＮＧＳＦＦ＋ホストデバイス７００において利用可能である。
【００５２】
図８は、本発明によるＮＧＳＦＦ＋ＳＳＤデバイスの一実施形態を示す概略的なブロック図である。ＮＧＳＦＦ＋ＳＳＤデバイス８００は、コネクタ８０１及び検出デバイス８０２を含む。コネクタ８０１は、公開された仕様書又はインターフェース標準に従うフォームファクターを有する。一実施形態で、インターフェースの標準はＮＧＳＦＦインターフェース標準である。コネクタ８０１は、Ｍ．２＋ホストデバイス８０３のコネクタ８０４に連結され、検出デバイス８０２は、Ｍ．２＋ホストデバイス８０３に連結されている間、Ｍ．２＋ホストデバイス８０３に対してＮＧＳＦＦ＋ＳＳＤデバイス８００の電気的／機能的な互換性を感知・検出する。特に、検出デバイス８０２は、感知された電気的／機能的な互換性に基づいてＮＧＳＦＦ＋ＳＳＤデバイス８００によって提供される機能をイネーブル又はディセーブルする。
【００５３】
一実施形態において、コネクタ８０１は、例えば、Ｍ．２インターフェース標準に従うフォームファクターを有する。他の実施形態で、ＮＧＳＦＦ＋ＳＳＤデバイス８００は、本実施形態のＮＧＳＦＦ＋ＳＳＤデバイスとは異なり、コネクタ８０１は、Ｍ．２インターフェース標準とは異なるインターフェース標準に従うフォームファクターを有する。
【００５４】
Ｍ．２＋ホストデバイス８０３は、公開された仕様書又はインターフェース標準に従うフォームファクターを有するコネクタ８０４を含む。たとえば、Ｍ．２＋ホストデバイス８０３のコネクタ８０４がＭ．２インターフェース標準に従う場合、コネクタ８０４のピン２、４、７２、及び７４は、＋３．３Ｖに指定され、ピン３０、３２、３４、及び３６は、予備（つまり、ＮＣ）ピンに指定される。Ｍ．２コネクタの予備ピン（３０、３２、３４、３６）は、未来の機能のために使用される。コネクタ８０４がＭ．２インターフェース標準の未来のバージョンに従う場合、ピン３０、３２、３４、及び３６は、未来の機能を提供する信号及び／又は電圧を伝達する。検出デバイス８０２は、コネクタ８０４がＭ．２インターフェース標準を満たしているか否かを検出し、正しくない信号及び／又は電圧がピン３０、３２、３４、及び３６に連結されることを防止し、これによりＮＧＳＦＦ＋ＳＳＤデバイス８００及び／又はＭ．２＋ホストデバイス８０３の損傷が防止される。
【００５５】
図８の検出デバイス８０２は、１つ以上のスイッチデバイス８０５及び抵抗デバイス８０６を含み、１つのスイッチデバイスのみが示され、抵抗デバイス８０６は、コネクタ８０１に連結されたＭ．２＋ホストデバイス８０３がＭ．２＋ホストデバイスであるか否かを感知する。それぞれのスイッチデバイス８０５の制御端子８０７は、コネクタ８０１のピン４とピン７２とのいずれか１つ又は両方に電気的に連結される。それぞれのスイッチデバイス８０５の第２端子８０８は、コネクタ８０１のそれぞれのピン３０、３２、３４、及び３６に電気的に結合される。それぞれのスイッチデバイス８０５の第３端子８０９は、低電圧保護回路８１０及び／又は図示されていないＮＧＳＦＦ＋ＳＳＤデバイス８００の他の回路に電気的に結合される。制御端子８０７は、また、抵抗デバイス８０６の一端子に電気的に結合される。抵抗デバイス８０６の他の端子はグランドに電気的に結合される。
【００５６】
Ｍ．２＋ホストデバイス８０３のピン２、４、７２、及び７４は、＋３．３Ｖ電力供給レールに電気的に連結されるが、これはコネクタ８０４がＭ．２インターフェース標準のような公開されたインターフェース標準に従うからである。ＮＧＳＦＦ＋ＳＳＤデバイス８００のコネクタ８０１がＭ．２インターフェース標準の電気的な構成に従わない場合、コネクタ８０１のピン２とピン７４は、ＮＧＳＦＦ＋ＳＳＤデバイス８００のいずれにも連結されない。コネクタ８０１のピン４及びピン７２は、Ｍ．２＋ホストデバイス８０３から出力される＋３．３Ｖ電力供給の電圧レールに連結され、＋３．３Ｖ電源は、スイッチデバイス８０５の制御端子８０７に印加され、これにより低電圧保護回路８１０からコネクタ８０１のピン３０、３２、３４、及び３６が絶縁される。
【００５７】
Ｍ．２＋ホストデバイス８０３のコネクタ８０４のピン３０、３２、３４、及び３６を介して利用可能な任意の未来の機能又は拡張は、ＮＧＳＦＦ＋ＳＳＤデバイス８００において利用可能ではない。コネクタ（８０１及び８０４）の残りのピンを介して利用可能な任意の従来の機能は、相変わらずＮＧＳＦＦ＋ＳＳＤデバイス８００において利用可能である。
【００５８】
図９は、本発明によるＳＳＤデバイスの実施形態に対応するホストデバイスの実施形態を示す概略的なブロック図である。図９に示すように、ＮＧＳＦＦ＋ＳＳＤデバイス８００のコネクタ８０１がＮＧＳＦＦ＋ホストデバイス７００のコネクタ７０１に連結される場合、感知デバイス（７０２及び８０２）は、例えば、電力がピン３０、３２、３４、及び３６を介して供給されるように、他のデバイスが電気的かつ機能的に互換可能であることを感知又は検出する。他の実施形態で、コネクタ（７０１又は８０１）の両方のピン３０、３２、３４、及び３６は、ＮＧＳＦＦ＋ホストデバイス７００及び／又はＮＧＳＦＦ＋ＳＳＤデバイス８００の特定のアプリケーション又は構成に依存して、電力、データ、及び／又は制御信号を伝達するために使用される。
【００５９】
当業者によって認識されるように、本明細書で説明される本発明の概念は、広い応用範囲に亘って修正及び変更される。したがって、本発明の技術範囲は、上述した任意の具体的で例示的な実施形態に限定されない。
【産業上の利用可能性】
【００６０】
本発明は、損傷なしに、異なるインターフェース標準に従うホストデバイス及びＳＳＤデバイスに関連した応用システムに有用である。
【符号の説明】
【００６１】
１００、８０３    Ｍ．２＋ホスト（Ｍ．２＋ホストデバイス）
１０１、７０３    Ｍ．２＋ＳＳＤデバイス
２００、６００、７００    ＮＧＳＦＦ＋ホスト（ＮＧＳＦＦ＋ホストデバイス）
２０１、３０１    プルアップ抵抗
２０２    電圧供給ゲーティングデバイス
３００、８００    ＮＧＳＦＦ＋ＳＳＤデバイス
３０２    第１スイッチ
３０３    インバータ
３０４    第２スイッチ
６０１、６０３、７０１、７０４、８０１、８０４    コネクタ
６０２    Ｍ．２  ＳＳＤデバイス
７０２、８０２    検出デバイス
７０５、８０５    スイッチデバイス
７０６、８０６    抵抗デバイス
７０７、８０７    制御端子
７０８、８０８    第２端子
７０９、８０９    第３端子
８１０    低電圧保護回路
【図１】
2019139767.tif 000004
【図２】
2019139767.tif 000005
【図３】
2019139767.tif 000006
【図４】
2019139767.tif 000007
【図５】
2019139767.tif 000008
【図６】
2019139767.tif 000009
【図７】
2019139767.tif 000010
【図８】
2019139767.tif 000011
【図９】
2019139767.tif 000012